(57)【特許請求の範囲】
【請求項１】
建築物に対して略上下方向に取り付けられるレール部材と、上記レール部材に長手方向に摺動可能に取り付けられたケース部材と、このケース部材に収納可能であり且つ上記ケース部材から長手方向に引き出された状態で垂直面内で回動可能に設けられたアーム部材とを有した物干装置であって、上記アーム部材の基端側端部の両側方に各々突設された回動用の軸部と、上記ケース部材の互いに対向する内壁面に各々形成され且つ上記軸部の先端側が挿入されるガイド溝と、上記ケース部材内に設けられ且つ上記ガイド溝の上端部位に位置する上記軸部の側面に接触可能であるばね部材と、上記アーム部材の上記ケース部材に対する位置を固定する係止手段とを備え、
上記ガイド溝は、上記アーム部材を上記ケース部材に出し入れする際の案内溝であって上記ケース部材の長手方向に沿って形成された直線部と、この直線部の先端に連なり上記建築物側に斜め上方に延びて形成された屈曲部と、上記アーム部材を回動させる際の軸受けであって上記屈曲部の先端に連なり上記建築物側に斜め下方に延びて形成された先端部とを有し、
上記ばね部材は、上記軸部が上記直線部の上端部位から上記屈曲部へと案内される過程で当該軸部との接触により弾性変形し、その弾性力により当該軸部を上記先端部に移動させるように、上記ガイド溝を横断し且つ上記建築物側に斜め上方に傾けて配置されていることを特徴とする物干装置。
【請求項２】
上記係止手段は、上記アーム部材の基端側端部の上記軸部回りに形成された半円状の取付部の周縁部に互いに等間隔に径方向に突出して複数設けられた係合突起と、上記ケース部材内壁の上記ガイド溝の先端部の延長線上に位置する付近に配設され且つ上記軸部が上記ガイド溝の先端部に位置した状態で上記係合突起の一つと係合可能な係合部とを有していることを特徴とする請求項１記載の物干装置。
【請求項３】
上記軸部の側面には、上記ガイド溝の幅よりもわずかに小さい間隔で、対向する面に対して位置する平面が形成されていることを特徴とする請求項１記載の物干装置。
【発明の詳細な説明】
【０００１】
【発明の属する技術分野】
この発明は、建物の壁面やベランダの手摺壁等に取り付けられ、物干竿を掛け渡して使用する物干装置に関する。
【０００２】
【従来の技術】
【特許文献１】
特開平７−１７３６９４号公報
【特許文献２】
特開平９−３２７５９６号公報
従来、建物のベランダ等に固定された物干装置として、建築物に取り付けられたベース部材に、アーム部材を垂直面内で回動可能に取り付け、アーム部材を水平状態あるいは斜め上または下状態で固定して使用し、不使用時には鉛直下方に回動して収納することができる物干装置があった。さらに、例えば物干位置でのアーム部材の角度を調整するものとしては、特許文献１に開示されているような収納式物干受けがある。また、アーム部材の高さを調整することができるものとしては、特許文献２に開示されている物干装置がある。
【０００３】
【発明が解決しようとする課題】
しかしながら、特許文献１に開示された物干装置は、アーム部材の角度は変更できるがアーム部材の高さの変更ができないものであり、特許文献２に開示された物干装置は、アーム部材の高さは変更可能であるが、角度の変更ができないものである。そして、収納式の物干装置では、アーム部材の高さと角度を両方変えようとすると、アーム基端部での構造が複雑になってしまい、強度が落ちたり装置が重くなってしまうという問題があった。
【０００４】
この発明は上記従来の問題点に鑑みてなされたものであり、簡単な構成でアーム部材の高さと角度を調整することができ、角度や高さを変更するときの操作性も良好な物干装置を提供することを目的とする。
【０００５】
【課題を解決するための手段】
本発明に係る物干装置は、建築物に対して略上下方向に取り付けられるレール部材と、上記レール部材に長手方向に摺動可能に取り付けられたケース部材と、このケース部材に収納可能であり且つ上記ケース部材から長手方向に引き出された状態で垂直面内で回動可能に設けられたアーム部材とを有した物干装置であって、上記アーム部材の基端側端部の両側方に各々突設された回動用の軸部と、上記ケース部材の互いに対向する内壁面に各々形成され且つ上記軸部の先端側が挿入されるガイド溝と、上記ケース部材内に設けられ且つ上記ガイド溝の上端部位に位置する上記軸部の側面に接触可能であるばね部材と、上記アーム部材の上記ケース部材に対する位置を固定する係止手段とを備えている。上記ガイド溝については、上記アーム部材を上記ケース部材に出し入れする際の案内溝であって上記ケース部材の長手方向に沿って形成された直線部と、この直線部の先端に連なり上記建築物側に斜め上方に延びて形成された屈曲部と、上記アーム部材を回動させる際の軸受けであって上記屈曲部の先端に連なり上記建築物側に斜め下方に延びて形成された先端部とを有している。上記ばね部材については、上記軸部が上記直線部の上端部位から上記屈曲部へと案内される過程で当該軸部との接触により弾性変形し、その弾性力により当該軸部を上記先端部に移動させるように、上記ガイド溝を横断し且つ上記建築物側に斜め上方に傾けて配置されている。
【０００６】
また、上記係止手段については、上記アーム部材の基端側端部の上記軸部回りに形成された半円状の取付部の周縁部に互いに等間隔に径方向に突出して複数設けられた係合突起と、上記ケース部材内壁の上記ガイド溝の先端部の延長線上に位置する付近に配設され且つ上記軸部が上記ガイド溝の先端部に位置した状態で上記係合突起の一つと係合可能な係合部とを有したものを使用すると良い。さらに、上記軸部の側面には、上記ガイド溝の幅よりもわずかに小さい間隔で、対向する面に対して位置する平面を形成すると良い。
【０００７】
以下、この発明の実施形態について図面に基づいて説明する。図１〜図１０は、この発明の一実施形態を示すものである。
物干装置１０は、建築物１２に対して略上下方向に取り付けられるレール部材１４と、レール部材１４に長手方向に摺動可能に取り付けられたケース部材１８と、ケース部材１８に収納可能であり且つケース部材１８から長手方向に引き出された状態で垂直面内で回動可能に設けられたアーム部材６２とを有した基本構造となっている。特に、アーム部材１４の基端側端部の両側方に各々突設された回動用の軸部７０と、ケース部材１８の互いに対向する内壁面に各々形成され且つ軸部７０の先端側が挿入されるガイド溝αと、ケース部材１８内に設けられ且つ上記ガイド溝４４等の上端部位に位置する軸部７０の側面に接触可能なつる巻きばね６０（ばね部材）と、アーム部材１４のケース部材１８に対する位置を固定する係止手段βとを備えている。
ガイド溝αは、アーム部材６２をケース部材１８に出し入れする際の案内溝であってケース部材１８の長手方向に沿って形成されたガイド溝２０、４４（直線部）と、ガイド溝４４の先端に連なり建築物１２側に斜め上方に延びて形成された屈曲部４４ａと、アーム部材６２を回動させる際の軸受けであって屈曲部４４ａの先端に連なり建築物１２側に斜め下方に延びて形成された先端部４５とを有している。
つる巻きばね６０は、軸部７０がカイド溝４４の上端部位から屈曲部４４ａへと案内される過程で軸部７０との接触により弾性変形し、その弾性力により軸部７０を先端部４５に移動させるように、ガイド溝αを横断し且つ建築物１２側に斜め上方に傾けて配置されている。
係止手段βは、アーム部材１４の基端側端部の軸部７０回りに形成された半円状の取付部６８の周縁部に互いに等間隔に径方向に突出して合計３個設けられた係合突起７２、７４、７６と、ケース部材１８内壁のガイド溝αの先端部４５の延長線上に位置する付近に配設され且つ軸部７０がガイド溝αの先端部４５に位置した状態で係合突起７２、７４、７６の一つと係合可能な係合部３６とを有している。以下、各部の詳細を説明する。
レール部材１４は、アルミニウムまたはその合金等で形成され、垂直方向に位置し、ボルト１６で固定されている。
【０００８】
レール部材１４には、ケース部材１８が摺動可能に設けられている。ケース部材１８は、アルミニウムまたはその合金で設けられ、上方が開口し内部が中空に形成され、所定間隔はなれて互いに平行な内壁を備えている。ケース部材１８の互いに対向する内壁面には、ケース部材１８の長手方向に沿ってガイド溝２０がそれぞれ形成されている。ケース部材１８の中央よりもやや下方には、ガイド溝２０にストッパー２１がねじ２３などで取り付けられている。ケース部材１８の下端部１８ａは合成樹脂製の下キャップ２２が取り付けられている。ケース部材１８の上端部１８ｂの開口部には、アルミダイキャスト等により形成され、ケース部材の一端部として機能するアーム係止部材２４が取り付けられている。
【０００９】
アーム係止部材２４は、左右対象の一対の部材が互いに合わせられてボルト２６で固定されて設けられている。アーム係止部材２４は、矩形のブロック状であり、取り付け状態で建築物１２に面する側面２４ａと、建築物１２と反対側の側面２４ｂ、取り付け状態で下方に向く下面２４ｃ、上方を向く上面２４ｄが形成されている。
【００１０】
アーム係止部材２４の内側面２７は内側が中空状に形成され、図３に示すように、側縁部２４ａの上端に、一対のアーム係止部材２４が互いに当接する当接部３２が形成されている。当接部３２のほぼ中心には、透孔３４がアーム係止部材２４を貫通して設けられている。側縁部２４ａの下端には、後述するアーム部材６２が係止される係合部３６が形成されている。
【００１１】
係合部３６は、一対のアーム係止部材２４が互いに当接した状態で、内側の中空部内にと突出するように形成されている。側縁部２４ａから離れた側の係合部３６の端部には、アーム係止部材２４の内側面２７に対してほぼ直角に位置する係止面３８が設けられている。係止面３８は、下面２４ｃに対して交差する方向に位置し、下面２４ｃに近づくにつれて側面２４ａに近づく方向に形成されている。係合部３６のほぼ中央付近には、側面２４ａと下面２４ｃの角部に向かってくぼむ凹部４０が設けられている。凹部４０の内周面はアーム係止部材２４の内側面２７に対してほぼ直角に位置し、内側面２７の側面２４ａ側の端部には、係止面４２が設けられている。係止面４２は、側面２４ａに対して交差する方向に位置し、側面２４ａに近づくにつれて下面２４ｃに近づく方向に形成されている。
【００１２】
アーム係止部材２４の内側面２７の中央には、ケース部材１８のガイド溝２０に連通するガイド溝４４が形成されている。ガイド溝４４は、下端面２４ｃでガイド溝２０と一致する位置に連通し、アーム係止部材２４のうち側面の中央を過ぎて上面２４ｄに近づいた位置で曲がり、下面２４ｃと側面２４ａの角部に向かって延出し係合部３６に達する前で止まっている。ガイド溝４４の屈曲した先端部４５は、アーム係止部材２４の内側面２７に対する内周面が半円状に形成され、ここは後述するアーム部材６２の軸受けとなる。ガイド溝４４の側面２４ａ側の周縁部には、ガイド溝４４を形成し、当接部３２と係合部３６よりも低い立上壁４６が設けられている。ガイド溝４４の側面２４b側の周縁部には、ガイド溝４４を形成するとともに、立上壁４６よりも低い平面部４８が幅広に形成されている。平面部４８の外側、つまり、側面２４bと上面２４dと、その間にある傾斜面には、平面部４８よりわずかに高い縁部５０が形成されている。
【００１３】
左右対称の一対のアーム係止部材２４のうち、一方のアーム係止部材２４の平面部４８には、ガイド溝４４の屈曲部４４ａを略コの字形に囲むガイド部材５２が入れられている。ガイド部材５２のアーム係止部材２４の内側面２７に接している面には、下面２４ｃ側の端部に、後述するつる巻きばね６０を入れる逃げ部５４が形成されている。逃げ部５４は、下面２４ｃ側の端部に連通し側面２４bに沿って細長く凹部が形成されている。逃げ部５４の内側には、逃げ部５４の底部からほぼ垂直に突出する円筒状の軸部５６が形成されている。また、ガイド部材５２の、側面２４a側の端部に、後述するつる巻きばね６０の先端が摺動自在に差し込まれる溝部５８が形成されている。溝部５８は、軸部５６を中心とした円弧の一部である曲線で形成されている。
【００１４】
係止補助手段である、つる巻きばね６０の螺旋が形成された一端部はガイド部材５２の逃げ部５４に取り付けられ、螺旋部分は軸部５６に巻き回されている。つる巻きばね６０の螺旋部分から延出した他方の先端６１は、９０°屈曲して溝部５８に延出し、溝部５８に差し込まれている。つる巻きばね６０の先端６１は、その弾性力で溝部５８の下方の端部５８ａに付勢されて当接している。
【００１５】
アーム係止部材２４には、アーム部材６２が係止される。アーム部材６２は金属製の長い板状体であり、アーム部材６２の外側が肉厚の枠部６３として形成され、内側には長手方向に沿って薄肉部６４が形成され、薄肉部６４には長手方向に沿って等間隔に略台形状の透孔である竿受部６６が５個形成されている。
【００１６】
アーム部材６２のアーム係止部材２４側の端部は、半円に形成され、その内側が円形の取付部６８となっている。取付部６８の中心には、両側方へ突出する短い円柱状の軸部７０が各々形成されている。軸部７０の側面には、アーム部材６２の長手方向に対して直交する半径方向に位置する２箇所に、アーム部材６２の長手方向に対して平行な平面７１が面取りされて形成されている。軸部７０の、一対の平面７１の間隔は、ケース部材１８のガイド溝２０及びガイド溝４４の幅よりわずかに小さい幅に形成されている。
【００１７】
そして取付部６８の周縁部には、アーム係止部材２４の係合部３６に係止される被係合部である係合突起７２，７４，７６が等間隔に側方に突出して設けられている。係合突起７２には、一番突出している頂部７２ａが設けられ、頂部７２ａの、図１において時計回り方向に連続して係止面７２ｂが設けられている。係止面７２ｂは、取付部６８の半径方向に対してほぼ平行に形成された平面である。そして、頂部７２ａの係止面７２ｂと反対側に連続して滑らかに湾曲した当接面７２ｃが設けられている。当接面７２ｃは、頂部７２ａから離れるに従い外側に湾曲しながら徐々に突出量が少なくなる曲面である。係合突起７４，７６にも同様に、各々頂部７４ａ，７６ａ、係止面７４ｂ，７６ｂ、当接面７４ｃ，７６ｃが設けられている。
【００１８】
次に、この実施形態の物干装置１０の組み立て方法について説明する。まず、一方のアーム係止部材２４の平面部４８に、ガイド部材５２とつる巻きばね６０をセットし、一対のアーム係止部材２４をケース部材１８に取り付ける。アーム部材６２は、組み立て前に予め入れられても良く、またアーム係止部材２４または下キャップ２２を取り付ける前にケース部材１８に差し込んでも良い。
【００１９】
レール部材１４を、建築物１２、例えばマンションの壁面やベランダの手摺等にボルト１６で取り付けた後、そのレール部材１４にケース部材１８を摺動可能に取り付ける。また、組み立てたケース部材１８、下キャップ２２、アーム係止部材２４を予めレール部材１４に摺動可能に取り付けたあと、レール部材１４を建築物１２取り付けても良い。
【００２０】
次に、この実施形態の物干装置１０の、アーム部材６２を収容状態から使用状態に変える操作について説明する。図１は、アーム部材６２がケース部材１８の内側に収容されている収容状態を示す。アーム部材６２の取付部６８と軸部７０は、ケース部材１８のガイド溝２０に取り付けられたストッパー２１に当接し、所定位置に収容されている。アーム部材６２の、取付部６８と反対側の先端は、アーム係止部材２４から竿受部６６が１個露出する長さに突出している。従って、露出した竿受部６６に物干竿８０を差し込んだ状態で収納可能である。
【００２１】
次に、アーム部材６２を引き出して使用状態にするとき、図４に示すように、アーム部材６２を垂直上方へ引き上げ、アーム部材６２の取付部６８の軸部７０をケース部材１８のガイド溝２０の上方に移動し、図５に示すようにアーム係止部材２４のガイド溝４４へ移動する。このとき、アーム部材６２は、その軸部７０の平面７１がガイド溝２０，４４内に摺接し、安定に引き上げられる。さらにアーム部材６２を上方に引き上げると、図６に示すようにアーム部材６２の取付部６８の軸部７０がつる巻きばね６０に当接し、つる巻きばね６０は弾性変形してその先端６１が溝部５８の下側の端部５８ａから離れ、アーム部材６２の上昇に伴って溝部５８の上側の端部５８ｂ側に移動する。そして、アーム部材６２の取付部６８の軸部７０は、ガイド溝４４の屈曲部４４ａで移動方向を変え、図７に示すように、溝部４４の先端部４５へ向かう。このときつる巻きばね６０の弾性力が軸部７０に作用し、アーム部材６２はガイド溝４４の先端部４５側へ付勢され、容易に先端部４５に移動する。
【００２２】
この後、アーム部材６２をアーム係止部材２４に係止する。係止操作は、アーム部材６２の角度を斜め上方に向けて保持しながら、アーム部材６２の軸部７０がガイド溝４４の先端部４５へ当接したとき、図８に示すように係合突起７２がアーム係止部材２４の係合部３６の凹部４０に位置し、係合突起７２の係止面７２ｂと係合部３６の係止面４２が当接する。さらに、係合突起７４の係止面７４ｂは係合部３６の係止面３８に当接する。これにより、アーム部材６２は自重により斜め上方に向かって保持されている。アーム６２をケース部材１８に収容するときは、上記の操作の逆の手順で行う。
【００２３】
次にアーム部材６２の角度を斜め上方から、水平に変更するときは、図９に示すようにアーム部材６２を斜め上方に向かって僅かに引き上げ、軸部７０をガイド溝４４の先端部４５から離れて屈曲部４４ａに向かって移動させる。これにより、係合突起７２，７４は、アーム係止部材２４の係合部３６から離れ、係合が解除される。そしてアーム部材６２を、軸部７０を中心に回転させ水平にする。この後軸部７０をガイド溝４４の先端部４５へ移動させる。このとき、図１０に示すように係合突起７４がアーム係止部材２４の係合部３６の凹部４０に位置し、係合突起７４の係止面７４ｂと係合部３６の係止面４２が当接する。そして、係合突起７６の係止面７６ｂは、係合部３６の係止面３８に当接する。これにより、アーム部材６２は自重により水平に保持されている。
【００２４】
アーム６２の角度を水平から斜め上に変えるときは、アーム部材６２を上方に上げるように力を加えると、アーム部材６２の係合突起７４，７６の係止面７４ｂ，７６ｂは、アーム係止部材２４の係合部３６の係止面４２，３８から離れ、係合突起７２の当接面７２ｃは、係合部３６の上端部３６ａに、係合突起７４の当接面７４ｃは、係合部３６の凹部４０の縁部３６ｂに当接する。さらに回転させるとアーム部材６２の係合突起７２，７４に押し上げられてアーム部材６２が斜め上方に押し上げられ、軸部７０がガイド溝４４の先端部４５から離れ上方へ移動する。さらにアーム部材６２を持ち上げていくと、係合突起７４，７６の頂部７２ａ，７４ａが係合部３６の上端部３６ａと凹部４０の縁部３６ｂを通過して、軸部７０がガイド溝４４の先端部４５に戻る。そして、アーム部材６２を持ち上げる力を解除し、係合突起７２，７４の係止面７２ｂ，７４ｂが、アーム係止部材２４の係合部３６の係止面４２，３８に下側から当接し、アーム部材６２は斜め上を向く方向で保持される。
【００２５】
なお、アーム部材６２の角度を変える操作は、一対のアーム部材６２に物干竿８０を掛け渡した状態で、物干竿８０を上に引き上げたり、降ろしたりすることで、一対のアーム部材６２のアーム係止部材２４の係合部３６に対する係合や係合解除、位置の変更を同時に行うことができる。
【００２６】
また、アーム部材６２の高さを変更するときは、ケース部材１８をレール部材１４に沿って上下に摺動する。
【００２７】
この実施形態の物干装置１０によれば、簡単な構造で確実に洗濯物を保持することができる。特にアーム部材６２をアーム係止部材２４に係止する操作において、軸部７０がつる巻きばね６０によりガイド溝４４の先端部４５側に付勢されているので、軸部７０は自動的にガイド溝４４の先端部側に移動する。そして、アーム部材６２に竿８０や洗濯物の重みで下に向かって力が加えられ、アーム部材６２の取付部６８の軸部７０が、アーム係止部材２４のガイド溝４４の先端部４５に上から当接し、さらにアーム部材６２の係合突起７２，７４，７６のうちの２箇所が、アーム係止部材２４の係合部３６の係止面４２，３８に下側から当接し、アーム部材６２は強固に確実にアーム係止部材２４に保持される。
【００２８】
また、アーム部材６２の角度を変更するときは、アーム部材６２をアーム係止部材２４から斜め上方に持ち上げるだけの簡単な操作により、アーム部材６２とアーム係止部材２４との係合を解除し、任意の方向へ手動で回転させて行うことができ、操作性がよい。特に、アーム部材６２の角度を上方に変更するときは、アーム部材６２を上方に回転させるだけの簡単な操作で行うことができる。そして一対のアーム部材６２に物干竿８０を渡した状態で、物干竿２を持ち上げたりおろしたりすることにより一対のアーム部材６２の係合を同時に解除し角度の変更を行うことができ、洗濯物を干したままで、日光の角度や天候に合わせてアーム部材６２の角度を調整することができる。また使用しないときは、アーム部材６２をケース部材１８に収容することができる。アーム部材６２の高さは、ケース部材１８をレール部材１４に沿って上下に摺動させることで、容易に変更することができる。
【００２９】
なお、この発明の物干装置は上記実施の形態に限定されるものではなく、レール部材の取り付け位置や壁以外に天井部分や支柱等適宜選択可能である。アーム係止部材とアーム部材の形状、または取り付け角度、係合突起の数や形状等は、自由に変更可能である。
【００３０】
【発明の効果】
この発明の物干装置は、簡単な構造で確実に竿や洗濯物を保持し、簡単な操作でアーム部材の角度と高さを変えることができるとともに、使用しないときはケース部材に簡単に収容することができる。
【図面の簡単な説明】
【図１】この発明の一実施形態の物干装置の正面図である。
【図２】この実施形態の物干装置の使用状態を示す正面図である。
【図３】この実施形態の物干装置のアーム係止部材の内側面を示す正面図である。
【図４】この実施形態の物干装置のアーム部材を上方に引き上げた状態でのアーム係止部材の内側面を示す正面図である。
【図５】この実施形態の物干装置のアーム部材をアーム係止部材のガイド溝に引き上げた状態でのアーム係止部材の内側面を示す正面図である。
【図６】この実施形態の物干装置のアーム部材がアーム係止部材のガイド溝の屈曲部に達した状態でのアーム係止部材の内側面を示す正面図である。
【図７】この実施形態の物干装置のアーム部材をアーム係止部材のガイド溝の屈曲部を通過した状態でのアーム係止部材の内側面を示す正面図である。
【図８】この実施形態の物干装置のアーム部材を斜め上方に保持した状態でのアーム係止部材の内側面を示す正面図である。
【図９】この実施形態の物干装置のアーム部材の角度を下方に変更する状態でのアーム係止部材の内側面を示す正面図である。
【図１０】この実施形態の物干装置のアーム部材を水平に保持した状態でのアーム係止部材の内側面を示す正面図である。
【符号の説明】
１０  物干装置
１２  建築物
１４  レール部材
１８  ケース部材
α  ガイド溝
２０，４４  ガイド溝（直線部）
４４ａ  屈曲部
４５  先端部
２１  ストッパー
２４  アーム係止部材
３２  当接部
３４  透孔
３６  係合部
３８  係止面
４０  凹部
４２  係止面
４５  先端部
５２  ガイド部材
５８  溝部
６０  つる巻きばね（ばね部材）
６２  アーム部材
６６  竿受部
６８  取付部
７０  軸部
７１  平面
β  係止手段
７２，７４，７６  係合突起
３６  係合部
８０  物干竿
【図１】
0004191971.tif 000002
【図２】
0004191971.tif 000003
【図３】
0004191971.tif 000004
【図４】
0004191971.tif 000005
【図５】
0004191971.tif 000006
【図６】
0004191971.tif 000007
【図７】
0004191971.tif 000008
【図８】
0004191971.tif 000009
【図９】
0004191971.tif 000010
【図１０】
0004191971.tif 000011